(57)【要約】      （修正有）【課題】スリーブ内にコンクリートが流れ込むことのないコンクリート打設を可能にすると共に作業現場での配管の支持固定作業を簡単且つ容易に行うことを可能とする床スリーブを提供する。【解決手段】建物の床を貫通して設けられ、配管を高さ方向に挿通して支持する床スリーブ１０は、円筒上のスリーブ本体１２の上部に配管固定機構１６を一体に設ける。配管固定機構１６は、支持基台１８、取付台２０、配管固定部材２２及びＵボルト２４で構成する。スリーブ本体１２の上部開口には着脱自在に蓋部材２６を設け、蓋部材２６を配管固定機構１６により仮止め固定しており、コンクリート打設が終わって配管を通す場合にスリーブ本体１２から蓋部材２６を取り外す。【選択図】図１
0003199417.tif 000002
【実用新案登録請求の範囲】
【請求項１】
建物の床を貫通して設けられ、配管を挿通する円筒状のスリーブ本体に、前記スリーブ本体を軸方向に挿通する配管を支持固定する配管固定機構を一体に設けた床スリーブに於いて、
前記スリーブ本体の上部開口に着脱自在に蓋部材を設け、前記蓋部材を前記配管固定機構により仮止め固定したことを特徴とする床スリーブ。
【請求項２】
請求項１記載の床スリーブに於いて、前記配管固定機構は、
Ｌ字断面をもつ一対のアングル材を、前記スリーブ本体の側面円筒の外周に一対のアングル面の先端内側を接触した状態で軸方向に固定配置した支持基台と、
Ｌ字断面をもつ一対のアングル材を、一方のアングル面が前記スリーブ本体の上部開口に位置するように他方のアングル面を前記支持基台の両側に固定配置し、前記一方のアングル面に一対の第１ボルト通し穴を形成した取付台と、
Ｌ字断面をもつアングル材の前記取付台に載置する一方のアングル面に、前記第１ボルト通し穴に相対して一対の第２ボルト通し穴を形成すると共に、他方のアングル面に前記配管の口径に対応した間隔で一対の第３ボルト通し穴を形成し、前記第２ボルト通し穴から前記取付台の第１ボルト通し穴に相通したボルトに対するナットの螺合により前記取付台に固定する配管固定部材と、
前記配管固定部材の前記第３ボルト通し穴にＵ字形の両端部を連結して前記配管を前記配管固定部材に締め付け固定するＵ字締結部材と、
を備え、
前記スリーブ本体の上部開口に設けた前記蓋部材を、前記取付台に対する前記配管固定部材のボルト止めにより挟み込んで仮止め固定することを特徴とする床スリーブ。
【請求項３】
請求項２記載の床スリーブに於いて、
前記取付台の第１ボルト通し穴を前記スリーブ本体に向う方向に長い第１長穴とし、前記配管固定部材の第２ボルト通し穴を前記第１長穴に直交する方向に長い第２長穴とし、
前記取付台の第１長穴と前記配管固定部材の第２長穴を位置合せして挿通したボルトにナットを螺合し、前記スリーブ本体を挿通する前記配管の中心軸線を前記スリーブ本体の中心軸線に略一致するように、前記第１及び第２長穴の範囲で前記配管固定部材を位置調整する構造としたことを特徴とする床スリーブ。
【考案の詳細な説明】
【技術分野】
【０００１】
本考案は、建築物の床を貫通して設けられ、配管を高さ方向に挿通する床スリーブに関する。
【背景技術】
【０００２】
従来、ビルやマンション等の建築構造物に設置される水回りの配管設備にあっては、鉄筋構造物に対し床を構築する仮枠を設置して鉄筋を配筋し、仮枠の所定位置に必要な数の床スリーブを固定し、この状態でコンクリートを打設し、コンクリートが固まった後に、床スリーブに配管を通し、床スリーブの床面開口部にアングル材を使用した配管固定部を現場作業により設けて配管を支持固定している。
【０００３】
図１０乃至図１３は従来の床スリーブの設置工事を示している。まず図１０に示すように、例えば隣接する上下階の床工事を例にとると、鉄筋構造物（図示せず）に対し仮枠１０１を設置すると共に鉄筋１０２を配筋した後に、水回りとなる所定の位置の仮枠１０１に床スリーブ１００の脚部を釘など固定して配置すると共に鉄筋１０２に結束線などで固定する。
【０００４】
この状態でコンクリートを打設することで、図１１に示すように、床スリーブ１０による貫通穴を持つコンクリート床１０４を構築する。次に、図１２に示すように、コンクリート床１０４における床面の床スリーブ１００が開口した位置に、アングル材を利用して配管固定部１０８を現場作業で設置する。更に、床スリーブ１００を高さ方向に挿通する配管を、配管固定部１０８により固定支持し、床スリーブ１００と配管１０６の間の隙間に不燃材やシール材を充填して隙間を塞ぐようにしている。
【０００５】
図１３は従来の配管固定部を拡大して示しており、図１３（Ａ）は側面を示し、図１３（Ｂ）は平面を示す。図１３に示すように、配管固定部１０８は、断面コ字型のアングル材を取付台１１０として床スリーブ１００の開口を挟んで両側２箇所にアンカーボルト等で固定し、続いて、ナット１１６を螺合したＵボルト１１４を設けた断面Ｌ字型のアングル材を配管固定部材１１２として取付台１１０の上に載せて溶接等で固定し、Ｕボルト１１４により配管１０６を配管固定部材１１２に押し当てた状態でナット１１６の螺合により締め付け固定し、配管１０６の中心が床スリーブ１００の略中心を通るように位置決め固定している。
【０００６】
しかしながら、このような従来の床スリーブにあっては、図１２及び図１３に示した配管固定部１０８を、溶接装置を使用した現場作業により組み付けて配管を支持固定しており、アーク溶接装置の場合は電源の確保が必要であり、またガス溶接装置の場合にはガスボンベの搬入を必要とし、スペース的に制約のある場所での作業となり、そのために手間と時間がかかるという問題がある。
【０００７】
この問題を解決するため本願出願人は、配管を挿通する円筒状のスリーブ本体の上部に、スリーブ本体を高さ方向に挿通する配管を支持固定する配管固定機構を一体に設けた構造の床スリーブを提案（特許文献２）しており、コンクリートを打設して床を構築した後に、床スリーブの開口部に配管固定部を設置する現場作業が不要となり、溶接装置を必要とすることなく、作業現場において床スリーブのスリーブ本体を高さ方向に挿通する配管を、スリーブ本体の上部に一体に設けた配管固定機構により支持固定することができ、工事作業の効率を大幅に高めることを可能としている。
【先行技術文献】
【特許文献】
【０００８】
【特許文献１】特開平６−３０６９７６号公報
【特許文献２】実用新案登録第３１８６３４７号公報
【考案の概要】
【考案が解決しようとする課題】
【０００９】
ところで、このような床スリーブを鉄筋構造物の仮枠に固定してコンクリートを打設する場合、床スリーブの中にコンクリートが入らないように注意をする必要があり、コンクリート打設の作業負担が増加する問題がある。
【００１０】
また、コンクリート打設により床スリーブの中にコンクリートが入らないように、スリーブ本体の上部開口をダンボールや板切れ等の材料で一時的に塞ぐ現場作業を行う場合もあり、コンクリート打設の前に行う準備作業に手間と時間がかかり、また、有り合わせの材料を使用して床スリーブの開口を閉鎖しているが、閉鎖が不完全な場合には床スリーブの中にコンクリートが入って固まり、これを取り除く作業を必要とする問題がある。
【００１１】
本考案は、スリーブ内にコンクリートが流れ込むことのないコンクリート打設を可能にすると共に作業現場での配管の支持固定作業を簡単且つ容易に行うことを可能とする床スリーブを提供することを目的とする。
【課題を解決するための手段】
【００１２】
（床スリーブ）
本考案は、建物の床を貫通して設けられ、配管を挿通する円筒状のスリーブ本体に、スリーブ本体を軸方向に挿通する配管を支持固定する配管固定機構を一体に設けた床スリーブに於いて、スリーブ本体の上部開口に着脱自在に蓋部材を設け、蓋部材を配管固定機構により仮止め固定したことを特徴とする。
【００１３】
（配管固定機構と蓋部材の仮止め）
配管固定機構は、
Ｌ字断面をもつ一対のアングル材を、スリーブ本体の側面円筒の外周に一対のアングル面の先端内側を接触した状態で軸方向に固定配置した支持基台と、
Ｌ字断面をもつ一対のアングル材を、一方のアングル面がスリーブ本体の上部開口に位置するように他方のアングル面を支持基台の両側に固定配置し、一方のアングル面に一対の第１ボルト通し穴を形成した取付台と、
Ｌ字断面をもつアングル材の取付台に載置する一方のアングル面に、第１ボルト通し穴に相対して一対の第２ボルト通し穴を形成すると共に、他方のアングル面に配管の口径に対応した間隔で一対の第３ボルト通し穴を形成し、第２ボルト通し穴から取付台の第１ボルト通し穴に相通したボルトに対するナットの螺合により取付台に固定する配管固定部材と、
配管固定部材の第３ボルト通し穴にＵ字形の両端部を連結して配管を配管固定部材に締め付け固定するＵ字締結部材と
を備え、
スリーブ本体の上部開口に設けた蓋部材を、取付台に対する配管固定部材のボルト止めにより挟み込んで仮止め固定する。
【００１４】
（長穴としたボルト通し穴）
取付台の第１ボルト通し穴をスリーブ本体に向う方向に長い第１長穴とし、配管固定部材の第２ボルト通し穴を第１長穴に直交する方向に長い第２長穴とし、
取付台の第１長穴と配管固定部材の第２長穴を位置合せして挿通したボルトにナットを螺合し、スリーブ本体を挿通する配管の中心軸線をスリーブ本体の中心軸線に略一致するように、第１及び第２長穴の範囲で配管固定部材を位置調整する構造とする。
【考案の効果】
【００１５】
本考案の床スリーブによれば、建物の床を貫通して設けられ、配管を挿通する円筒状のスリーブ本体に、スリーブ本体を軸方向に挿通する配管を支持固定する配管固定機構を一体に設けた床スリーブに於いて、スリーブ本体の上部開口に着脱自在に蓋部材を設け、蓋部材を配管固定機構により仮止め固定するようにしたため、床スリーブを鉄筋構造物の仮枠に固定してコンクリートを打設する場合、スリーブ本体の上部開口は蓋部材の仮止めにより完全に閉鎖されており、打設したコンクリートがスリーブ本体の中に入ることを確実に防止し、配管作業を行う場合に配管固定機構を利用して仮止めしている蓋部材を取り外すことで、コンクリートが中に入っていない状況で効率良く配管を通して支持固定することを可能とする。
【００１６】
また、蓋部材の仮止めは、本体スリーブと一体に設けた配管固定機構を利用しているため、蓋部材を仮止めするために特別な構造を設ける必要がない。
【００１７】
また、コンクリートを打設して床を構築した後に、床スリーブの開口部に配管固定部を設置する現場作業が不要となり、溶接装置を必要とすることなく、作業現場において床スリーブのスリーブ本体を高さ方向に挿通する配管を、スリーブ本体の上部に一体に設けた配管固定機構により支持固定することができる。
【００１８】
（配管固定機構と蓋部材の仮止めによる効果）
また、配管固定機構は、Ｌ字断面をもつ一対のアングル材を、スリーブ本体の側面円筒の外周に一対のアングル面の先端内側を接触した状態で軸方向に固定配置した支持基台と、Ｌ字断面をもつ一対のアングル材を、一方のアングル面がスリーブ本体の上部開口に位置するように他方のアングル面を支持基台の両側に固定配置し、一方のアングル面に一対の第１ボルト通し穴を形成した取付台と、Ｌ字断面をもつアングル材の取付台に載置する一方のアングル面に、第１ボルト通し穴に相対して一対の第２ボルト通し穴を形成すると共に、他方のアングル面に配管の口径に対応した間隔で一対の第３ボルト通し穴を形成し、第２ボルト通し穴から取付台の第１ボルト通し穴に相通したボルトに対するナットの螺合により取付台に固定する配管固定部材と、  配管固定部材の第３ボルト通し穴にＵ字形の両端部を連結して配管を配管固定部材に締め付け固定するＵ字締結部材（Ｕボルト又はＵバンド）を備え、スリーブ本体の上部開口に設けた蓋部材を、取付台に対する配管固定部材のボルト止めにより挟み込んで仮止め固定するようにしたため、スリーブ本体の上部開口を蓋部材で閉鎖した状態で配管固定機構の取付台による挟み込みで確実に仮止めし、また、コンクリート打設後に蓋部材を外してスリーブ本体を高さ方向に配管を挿通して支持固定する作業を簡単且つ容易に行うことを可能とする。更に、支持基台、取付台及び配管固定部材は、いずれも市販のＬアングル材を利用していることから、製造が容易でコストを必要最小限に抑えることを可能とする。
【００１９】
（長穴としたボルト通し穴による効果）
また、取付台の第１ボルト通し穴をスリーブ本体に向う方向に長い第１長穴とし、配管固定部材の第２ボルト通し穴を第１長穴に直交する方向に長い第２長穴とし、取付台の第１長穴と配管固定部材の第２長穴を位置合せして挿通したボルトにナットを螺合し、スリーブ本体を挿通する配管の中心軸線をスリーブ本体の中心軸線に略一致するように、第１及び第２長穴の範囲で配管固定部材を位置調整する構造としたことで、スリーブ本体を挿通する配管を支持固定した場合に、スリーブ本体と配管の間に均一な隙間を確保することができ、隙間に対する不燃材やシール材の充填をより適切に行うことを可能とする。
【図面の簡単な説明】
【００２０】
【図１】本考案による床スリーブの実施形態を示した斜視図
【図２】図１の床スリーブを正面及び平面から示した説明図
【図３】図１の床スリーブを側面から示した説明図
【図４】図１の床スリーブの組立分解状態を正面から示した説明図
【図５】図１の床スリーブの組立分解状態を平面から示した説明図
【図６】図１の床スリーブの組立分解状態を側面から示した説明図
【図７】本考案による床スリーブの蓋部材を取り外した状態で示した斜視図
【図８】床工事における床スリーブの組付け配置を示した説明図
【図９】本考案の床スリーブによる配管の支持固定を示した説明図
【図１０】床工事における従来の床スリーブの組付け配置を示した説明図
【図１１】コンクリート打設により埋め込まれた従来の床スリーブを示した説明図
【図１２】現場作業による床スリーブを挿通した配管の支持固定を示した説明図
【図１３】図１２の従来の配管固定部を拡大して示した説明図
【考案を実施するための形態】
【００２１】
［床スリーブの構成］
図１は本考案による床スリーブの実施形態を示した斜視図、図２は図１の床スリーブを正面及び平面から示した説明図、図３は図１の床スリーブを側面から示した説明図、図４は図１の床スリーブの組立分解状態を正面から示した説明図、図５は図１の床スリーブの組立分解状態を平面から示した説明図、図６は図１の床スリーブの組立分解状態を側面から示した説明図、図７は本考案による床スリーブの蓋部材を取り外した状態で示した斜視図である。
【００２２】
図１乃至図６に示すように、本実施形態の床スリーブ１０は、配管を挿通する円筒状のスリーブ本体１２と、スリーブ本体１２の上部に一体に設けられ、スリーブ本体１２を高さ方向に挿通する配管を支持固定する配管固定機構１６と、スリーブ本体１２の上部開口に着脱自在に設けた蓋部材２６で構成し、蓋部材２６を配管固定機構１６により仮止め固定している。
【００２３】
スリーブ本体１２は例えばステンレス板を円筒形に加工して継ぎ目を溶接固定した管体であり、例えば肉厚は１．２ｍｍ、外形は１５０ｍｍ、高さは３５０ｍｍであり、外形及び高さについては、様々な寸法を準備している。また、スリーブ本体１２の下部外側の３箇所には、Ｌ字形の脚部１４を放射状に配置し、脚部１４には通し孔１４ａを設け、床工事の際に仮設する仮枠の所定位置に配置するスリーブ本体１２を釘打ち等で仮止め可能としている。
【００２４】
本体スリーブ１２の上部に一体に設けた配管固定機構１６は、支持基台１８、取付台２０、配管固定部材２２及びＵボルト２４を備える。
【００２５】
支持基台１８は、図５の組立分解の平面に示すように、Ｌ字断面をもつ一対のアングル材を、スリーブ本体１２の側面円筒の外周に一対のアングル面１８ａ，１８ｂの先端内側を接触した状態で軸方向に溶接等により固定配置している。なお、支持基台１８は一対のアングル材に代えて、断面コ字形の単一部材としても良い。また、図６の配管固定部材２２は、取付台２０に対する横方向（図示上方向）にスライドして分解した状態を示している。
【００２６】
取付台２０は、図２（Ａ）及び図４の正面に示すように、Ｌ字断面をもつ一対のアングル材であり、各アングル材の一方のアングル面２０ａをスリーブ本体１２の上部開口に位置するようにし、他方のアングル面２０ｂを支持基台１８の両側に溶接等により固定配置している。また、図５の組立分解の平面に示すように、取付台２０は、水平となる一方のアングル面２０ａに一対の第１ボルト通し穴２８を形成している。
【００２７】
配管固定部材２２は、Ｌ字断面をもつアングル材であり、図５の平面に示すように、取付台２０に載置する水平な一方のアングル面２２ａに、取付台２０の第１ボルト通し穴２８に相対して一対の第２ボルト通し穴３０を形成し、図４の組立分解の正面に示すように、第２ボルト通し穴３０から取付台２０の第１ボルト通し穴２８にワッシャ３５を介して挿通したボルト３４に対するナット３６の螺合により取付台２０に固定している。
【００２８】
ここで、図５の平面の組立分解に示した取付台２０の第１ボルト通し穴２８は、スリーブ本体１２に向う方向（図示で上下方向）に長い第１長穴とし、配管固定部材２２の第２ボルト通し穴３０を第１ボルト通し穴２８となる第１長穴に直交する方向（図示で横方向）に長い第２長穴としている。
【００２９】
このため、図２（Ｂ）の平面に示すように、取付台２０の第１ボルト通し穴２８と配管固定部材２２の第２ボルト通し穴３０を位置合せして挿通したボルト３４にナット３６を螺合し、スリーブ本体１２を挿通する配管４０の中心軸線をスリーブ本体１２の中心軸線に略一致するように、第１ボルト通し穴２８となる第１長穴と第２ボルト通し穴３０となる第２長穴の範囲で配管固定部材２２を位置調整する構造としている。
【００３０】
また、配管固定部材２２の垂直なアングル面２２ｂには、図４の組立分解の正面に示すように、配管支持部材２２にＵボルト２４のネジ部２４ａを通す一対の第３ボルト通し穴３２を形成している。ここで、第３ボルト通し穴３２は、横方向に長い長穴としており、第３ボルト通し穴３２に嵌め入れたＵボルト２４を長穴の範囲で横方向に調整自在としている。
【００３１】
Ｕボルト２４はＵ字締結部材として機能し、図４の組立分解の正面に示した配管固定部材２２における垂直なアングル面２２ｂに形成した第３ボルト通し穴３２に、図２（Ｂ）及び図３に示すように、Ｕ字端部のネジ部２４ａを挿通し、当該ネジ部２４ａに対するナット３８の螺合により配管を配管固定部材２２に締め付け固定可能としている。なお、Ｕボルト２４の代わりに、Ｕ字端部にボルトを装着したＵバンドをＵ字締結部材として使用しても良い。
【００３２】
蓋部材２６は、図４及び図６の組立分解の正面及び側面に示すように、円盤状に窪み形成した蓋本体２６ａと、蓋本体２６の周囲に一体に形成した鍔部２６ｂで構成しており、スリーブ本体１２の上部開口に蓋本体２６ａを鍔部２６ｂがスリーブ開口に当る位置まで押し込んで、スリーブ本体１２の上部開口を閉鎖している。
【００３３】
また、スリーブ本体１２の上部開口に装着した蓋部材２６は、配管固定機構１６を利用して仮止め固定している。即ち、スリーブ本体１２の上部開口に蓋部材２６を装着する場合には、配管固定部材２２のボルト３４を緩めることで、固定台２０に対し配管固定部材２２を浮かせて十分な隙間を形成可能としておき、配管固定部材２２の固定台２０との隙間に蓋部材２６の一部を差し入れるようにしてスリーブ本体１２の上部開口に嵌め入れて閉鎖する。
【００３４】
続いてボルト３４に対するナット３６の螺合により、取付台２０に配管固定部材２２を固定することで、その間に蓋部材２６の鍔部２６ａを部分的に挟み付けて仮止め固定する。
【００３５】
床スリーブ１０を鉄筋の仮枠等に仮止め固定した状態でコンクリートを打設してコンクリート床を形成した場合には、図７に示すように、スリーブ本体１２の上部開口に装着して仮止め固定していた蓋部材２６を、ボルト３６を緩めて配管固定部材２２を取付台２０から浮かせることで取り外し、上下に開口した床スリーブ１０に配管を通して固定支持する作業を行うことになる。
【００３６】
なお、配管固定部材２２に対するＵボルト２４の組付けは、床スリーブ１０をコンクリート打設により床面に埋込設置した後の配管固定作業の際に使用することから、コンクリート打設前には、Ｕボルト２４は外しておいても良い。
【００３７】
［床スリーブを用いた床工事］
図８は床工事における床スリーブの組付け配置を示した説明図である。図８に示すように、床工事に際しては、図示しない建物の鉄骨構造物に対し床面下部（下の階の天上裏面）に仮枠４４を構築し、仮枠４４における水回りとなる所定位置に、スリーブ本体１２の上部開口に蓋部材２６を装着して閉鎖した床スリーブ１０を配置し、スリーブ本体１２の下部の脚部１４を釘打ちして仮止めする。続いて鉄筋４６を配筋し、床スリーブ１０に当接している鉄筋４６に対し針金などの結束線を使用して固定する。
【００３８】
ここで、スリーブ本体１２の上部に一体に設けている配管固定機構１６については、スリーブ本体１２に通す配管５０の外径が予め決まっていることから、図２（Ｂ）に示すように、平面から見て、Ｕボルト２４により配管固定部材２２に配管４０を支持固定した状態で、スリーブ本体１２の中心軸線に配管４０の中心軸線が一致するように、取付台２０に対し配管固定部材２２を位置調整し、ボルト３４とナット３６により配管固定部材２２を取付台２０に締め付け固定しておくようにする。
【００３９】
これは床スリーブ１０をコンクリート打設により床に埋設した状態では、配管固定部材２２の位置調整ができないことから、コンクリート打設前の段階で位置決め調整して固定しておくようにする。
【００４０】
一方、Ｕボルト２４については、ナット３８を螺合して脱落しないようにしておけばよい。なお、Ｕボルト２４は配管固定を行うまでは使用しないことから、床スリーブ１０から外しておき、配管固定作業の際に取り付けるようにしても良い。
【００４１】
このように床スリーブ１０を仮枠４４及び鉄筋４６に固定した状態でコンクリートの打設作業を行うが、このとき床スリーブ１０のスリーブ本体１２の上部開口は蓋部材２６の装着により閉鎖されているため、スリーブ本体１２の中に打設したコンクリートは入ることはない。
【００４２】
図９は床スリーブに一体に設けた配管固定機構による配管の支持固定を示した説明図である。図９に示すように、コンクリート打設によりコンクリート床４２が構築されると、床スリーブ１０のスリーブ本体１２がコンクリート床４８に埋設され、スリーブ本体１２の上部開口を閉鎖している蓋部材２６及び配管固定機構１６はコンクリート床面のスリーブ開口の外側に位置しており、配管の固定支持作業に際し、ボルト３４を緩めることで配管固定部材２２を固定台２０から浮かせて蓋部材２６を取り外す。
【００４３】
ここで、本実施形態にあっては、固定台２０の下側にナット３６を配置し、配管固定部材２２が位置する上側からボルト３４を通してナット３６に螺合しているが、逆に、固定台２０の下側からボルト３４を上向きに通して配管固定部材２２の上部に配置したナット３６に螺合して固定するようにしても良い。この場合には、ボルト３４の頭部がコンクリート内に埋込固定されており、外に出ているナット３６を緩めることで、確実に取付台２０に対し配管固定部材２２を浮かせて蓋部材２６を取外し、再びナット３６を締め付けて取付台２０に配管固定部材２２を締め付け固定する作業がより確実にできる。
【００４４】
続いて、床スリーブ１０のスリーブ本体１２に対し配管４０を通して固定支持する場合、Ｕボルト２４のナット３８を緩めて広げておき、Ｕボルト２４及びスリーブ本体１２を通して配管４０を配置し、配管４０の位置決め等が済んだ場合、Ｕボルト２４のネジ部２４ａに螺合しているナット３８を締め込み、Ｕボルト２４により配管４０を配管固定部材２２に締め付け固定する。
【００４５】
この場合、配管固定部材２２は配管４０の当接位置で、配管４０の中心軸線がスリーブ本体１２の中心軸線に略一致するように、コンクリート打設前の段階で位置調整して固定しており、このためＵボルト２４による配管固定部材２２８に対する締め付け固定で、配管２０の中心軸線がスリーブ本体１２の中心軸線に略一致するように支持固定され、スリーブ本体１２と配管４０との間に均一な隙間が形成される。
【００４６】
続いて、スリーブ本体１２と配管４０との間の隙間に、不燃材やシール材を圧入して隙間を塞ぐ。
【００４７】
このようにコンクリートを打設して床を構築した後に、床スリーブ１０の開口部に配管固定部を設置する現場作業が不要となり、溶接装置を必要とすることなく、作業現場において床スリーブ１０のスリーブ本体を高さ方向に挿通する配管を、スリーブ本体の上部に一体に設けた配管固定機構１５により支持固定することができ、工事作業の効率を大幅に高めることができる。
【００４８】
［本考案の変形例］
上記の実施形態は、建物の高さ方向に配管を挿通する床スリーブを例にとるものであったが、建物の横方向や斜め方向に配管を挿通するスリーブについて適用しても良い。
【００４９】
また、本考案は上記の実施形態に限定されず、その目的と利点を損なうことのない適宜の変形を含み、更に上記の実施形態に示した数値による限定は受けない。
【符号の説明】
【００５０】
１０：床スリーブ
１２：スリーブ本体
１４：脚部
１６：配管固定機構
１８：支持基台
１８ａ，８ｂ，２０ａ，２０ｂ，２２ａ，２２ｂ：アングル面
２０：取付台
２２：配管固定部材
２４：Ｕボルト
２６：蓋部材
２６ａ：蓋本体
２６ｂ：鍔部
２８：第１ボルト通し穴
３０：第２ボルト通し穴
３２：第３ボルト通し穴
３４：ボルト
３６，３８：ナット
４０：配管
４２：コンクリート床
【図１】
0003199417.tif 000003
【図２】
0003199417.tif 000004
【図３】
0003199417.tif 000005
【図４】
0003199417.tif 000006
【図５】
0003199417.tif 000007
【図６】
0003199417.tif 000008
【図７】
0003199417.tif 000009
【図８】
0003199417.tif 000010
【図９】
0003199417.tif 000011
【図１０】
0003199417.tif 000012
【図１１】
0003199417.tif 000013
【図１２】
0003199417.tif 000014
【図１３】
0003199417.tif 000015